(57)【要約】【課題】最適な距離に被写体を位置させることが容易で、誘導のために複雑な構成を用いる必要のない眼画像撮影装置および認証装置を提供することを目的とする。【解決手段】少なくとも被写体の眼を撮影する第１の撮影部３と、第１の撮影部３と合焦範囲が異なり、かつ、第１の撮影部３の撮影方向と略同一の方向を撮影するように配置された第２の撮影部４と、第１の撮影部３および第２の撮影部４で撮影された画像に、眼が撮影されているか否かを判定する眼検出部１６と、眼検出部１６で眼が撮影されていると判定された画像を出力する出力部とを備えた。【選択図】図２
2006338236.tif 000002
【特許請求の範囲】
【請求項１】
少なくとも被写体の眼を撮影する第１の撮影部と、
前記第１の撮影部と合焦範囲が異なり、かつ、前記第１の撮影部の撮影方向と略同一の方向を撮影するように配置された第２の撮影部と、
前記第１の撮影部および前記第２の撮影部で撮影された画像に、眼が撮影されているか否かを判定する眼判定部と、
前記眼判定部で眼が撮影されていると判定された画像を出力する出力部とを備えたことを特徴とする眼画像撮影装置。
【請求項２】
前記第１の撮影部および前記第２の撮影部で撮影された画像の画質を判定し、画質がよいと判定された画像を前記出力部に出力する画質判定部を備えたことを特徴とする請求項１に記載の眼画像撮影装置。
【請求項３】
前記第１の撮影部の撮影方向を変換する撮影方向変換部を備えたことを特徴とする請求項１または請求項２に記載の眼画像撮影装置。
【請求項４】
前記撮影方向変換部は、前記第２の撮影部の撮影方向上に配置されたハーフミラーを有することを特徴とする請求項３に記載の眼画像撮影装置。
【請求項５】
前記第１の撮影部および前記第２の撮影部のいずれかを撮影させるよう制御する撮影制御部を備えたことを特徴とする請求項１から請求項４までのいずれか１項に記載の眼画像撮影装置。
【請求項６】
前記撮影制御部は、前記第１の撮影部および前記第２の撮影部を交互に撮影させることを特徴とする請求項５に記載の眼画像撮影装置。
【請求項７】
前記第２の撮影部は、前記第１の撮影部よりもより遠方に合焦範囲を有し、
前記第２の撮影部によって撮影された画像の合焦値と所定の閾値との関係を判定する合焦値判定部を備え、
前記撮影制御部は、前記第２の撮影部によって撮影を開始し、前記合焦値判定部によって、前記第２の撮影部によって撮影された画像の合焦値が前記所定の閾値を越えた後に、前記所定の閾値未満となるような変化を示したと判定されたときに、前記第２の撮影部による撮影から前記第１の撮影部による撮影に切り替えることを特徴とする請求項５に記載の眼画像撮影装置。
【請求項８】
前記第２の撮影部は、前記第１の撮影部よりもより遠方に合焦範囲を有し、
前記第２の撮影部によって撮影された画像における虹彩径と所定の閾値との関係を判定する虹彩径判定部を備え、
前記撮影制御部は、前記第２の撮影部によって撮影を開始し、前記虹彩径判定部によって、前記第２の撮影部によって撮影された画像における虹彩径が前記所定の閾値を越えるような変化を示したと判定されたときに、前記第２の撮影部による撮影から前記第１の撮影部による撮影に切り替えることを特徴とする請求項５に記載の眼画像撮影装置。
【請求項９】
前記被写体の少なくとも眼を照射する照射部を備えたことを特徴とする請求項１から請求項８までのいずれか１項に記載の眼画像撮影装置。
【請求項１０】
前記被写体の少なくとも眼に光線を照射する照射部と、
前記撮影制御部の撮影制御に同期して、前記照射部の照射する光量を制御する光量制御部とを備えたことを特徴とする請求項５から請求項８までのいずれか１項に記載の眼画像撮影装置。
【請求項１１】
前記光量制御部は、前記第１の撮影部および前記第２の撮影部のうち、より近接する範囲を合焦範囲とする撮影部が撮影を行っているときに、前記照射部の照射する光量を弱めるような制御を行うことを特徴とする請求項１０に記載の眼画像撮影装置。
【請求項１２】
前記被写体が所定の距離に近接したか否かを検知する距離検知部を備え、
前記第１の撮影部および前記第２の撮影部の少なくとも一方の撮影部は、前記距離検知部が、前記被写体が所定の距離に近接したことを検知したときに、撮影を開始することを特徴とする請求項１から請求項１１までのいずれか１項に記載の眼画像撮影装置。
【請求項１３】
請求項１から請求項１２までのいずれか１項に記載の眼画像撮影装置と、
前記眼画像撮影装置の前記出力部から出力された画像を用いて所定の認証処理を行う認証処理部を備えたことを特徴とする認証装置。
【請求項１４】
前記認証処理部は、
前記眼画像撮影装置の前記出力部から出力された画像から、所定の認証情報を作成する認証情報作成部と、
あらかじめ登録された登録認証情報と前記認証情報作成部で作成された認証情報とを比較照合する照合部と、
前記照合部での比較照合の結果、前記登録認証情報と前記認証情報作成部で作成された認証情報とが一致すると判定された場合に、前記被写体があらかじめ登録された者であると認証する認証部とを有することを特徴とする請求項１３に記載の認証装置。
【請求項１５】
前記認証情報作成部は、前記被写体の少なくとも眼を含む画像から、所定の方法で眼の虹彩部分の画像の認証情報を作成し、
前記登録認証情報は、あらかじめ登録された者の眼の虹彩部分の画像から前記所定の方法で作成された情報であることを特徴とする請求項１４に記載の認証装置。
【発明の詳細な説明】
【技術分野】
【０００１】
本発明は、被認証者の少なくとも眼を含む画像を撮影する眼画像撮影装置およびそれを用いた認証装置に関する。
【背景技術】
【０００２】
近年、入退出管理装置や個人情報等の重要な情報が記憶された情報装置等、高いセキュリティ性が求められる装置におけるアクセス時の本人認証の方法として、人体の指紋、虹彩、眼底血管、顔の特徴、手や腕の血管パターン等、その被認証者固有の情報、いわゆるバイオメトリクス情報を用いた様々な認証方法が実用化されてきている。
【０００３】
その中でも、本人認証率の高さや、他人受入率の低さ等の信頼性の高さから、眼の虹彩部分の皺の模様の違いを利用した認証方法（以下、このような方法を虹彩認証方法と記す）が提案され、特に高いセキュリティ性を必要とする機器において実用化されている（例えば、特許文献１を参照。）。
【０００４】
このような虹彩認証方法は、被認証者の眼の部分の画像（以下、この画像を眼画像と記す）から虹彩の部分を選択的にコード化し、得られた情報を認証情報として、あらかじめ登録された情報（以下、登録認証情報と記す）と比較照合し、互いに一致すると判定された場合には、被認証者があらかじめ登録された者であると認証する方法である。
【０００５】
このような虹彩認証方法を用いた虹彩認証装置においては、被認証者の鮮明な眼画像を撮影するために、一般的には、望遠レンズが搭載されることが多い。しかしながら、光学系として望遠レンズを搭載するだけでは、画角が狭いので、被認証者の眼に位置あわせを行って、正確に撮影することが難しいという課題があった。
【０００６】
このような課題に鑑みて、比較的画角の広いレンズ系を有するＷカメラと、比較的画角の狭いレンズ系を有する、可動なＮカメラとを備え、Ｗカメラによって被写体の顔全体を撮影して、その画像から眼の位置を検出し、検出された眼の方向にＮカメラを向けて撮影を行うことにより、眼の拡大画像を撮影することができる技術が提案されてきている（例えば、特許文献２を参照。）。このような技術によれば、ズームレンズ等の複雑な光学系の不要な構成を実現することができた。
【特許文献１】特許第３３０７９３６号公報
【特許文献２】特開平１０−４０３８６号公報
【発明の開示】
【発明が解決しようとする課題】
【０００７】
前述のような従来の虹彩認証装置においては、コストに鑑みて、Ｎカメラの光学系として、比較的望遠の単焦点レンズを用いることが望ましい。この場合には、その被写界深度が非常に浅いために、被認証者を合焦可能な適切な距離範囲（以下、合焦範囲と記す）に正確に誘導する必要があった。しかしながら、一般的に、人間の距離方向の感覚は、水平方向および垂直方向の感覚と比べて非常に鈍いものであるとされており、ある程度継続的に虹彩認証装置を用いても、なかなか最適な距離に自らを位置させることが難しく、誘導のために音声誘導等の複雑な構成を用いる必要があるという課題があった。
【０００８】
本発明はこのような課題に鑑みてなされたものであり、最適な距離に被写体を位置させることが容易で、誘導のために複雑な構成を用いる必要のない眼画像撮影装置および認証装置を提供することを目的とする。
【課題を解決するための手段】
【０００９】
本発明の眼画像撮影装置は、少なくとも被写体の眼を撮影する第１の撮影部と、第１の撮影部と合焦範囲が異なり、かつ、第１の撮影部の撮影方向と略同一の方向を撮影するように配置された第２の撮影部と、第１の撮影部および第２の撮影部で撮影された画像に、眼が撮影されているか否かを判定する眼判定部と、眼判定部で眼が撮影されていると判定された画像を出力する出力部とを備えたことを特徴としている。
【００１０】
このような構成によれば、互いに合焦範囲の異なる、第１の撮影部と第２の撮影部とが互いに略同一の方向を撮影するように配置されているので、被写体の鮮鋭な画像が撮影される合焦範囲が広がることにより、最適な距離に被写体を位置させることが容易で、誘導のために複雑な構成を用いる必要のない眼画像撮影装置を提供できる。
【００１１】
また、第１の撮影部および第２の撮影部で撮影された画像の画質を判定し、画質がよいと判定された画像を出力部に出力する画質判定部を備えた構成であってもよい。
【００１２】
このような構成によれば、さらに、第１の撮影部および第２の撮影部で撮影された画像のうち、画質がよいと判定された画像を出力することができる。
【００１３】
また、第１の撮影部の撮影方向を変換する撮影方向変換部を備えた構成であってもよい。
【００１４】
このような構成によれば、さらに、第１の撮影部の撮影方向と第２の撮影部の撮影方向とを異ならせて配置して、撮影方向変換部によって、それらの撮影方向を一致させることの可能な構成を実現できる。
【００１５】
さらに、撮影方向変換部は、第２の撮影部の撮影方向上に配置されたハーフミラーを有する構成であってもよい。
【００１６】
このような構成によれば、さらに、撮影方向変換部としてハーフミラーを用いた簡易な構成を実現できる。
【００１７】
また、第１の撮影部および第２の撮影部のいずれかを撮影させるよう制御する撮影制御部を備えた構成であってもよい。
【００１８】
このような構成によれば、さらに、必要に応じて第１の撮影部および第２の撮影部を切り替えて撮影を行うことの可能な構成を実現することができる。
【００１９】
また、撮影制御部は、第１の撮影部および第２の撮影部を交互に撮影させる構成であってもよい。
【００２０】
このような構成によれば、さらに、交互に撮影を行うことにより、第１の撮影部および第２の撮影部のいずれかで撮影された画像を出力することが可能となり、良好な画像を撮影できる可能性を高くすることができる。
【００２１】
また、第２の撮影部は、第１の撮影部よりもより遠方に合焦範囲を有し、第２の撮影部によって撮影された画像の合焦値と所定の閾値との関係を判定する合焦値判定部を備え、撮影制御部は、第２の撮影部によって撮影を開始し、合焦値判定部によって、第２の撮影部によって撮影された画像の合焦値が所定の閾値を越えた後に、所定の閾値未満となるような変化を示したと判定されたときに、第２の撮影部による撮影から第１の撮影部による撮影に切り替える構成であってもよい。
【００２２】
このような構成によれば、さらに、より遠くに合焦範囲を有する第２の撮影部から撮影を開始することで被写体をより迅速に撮影することができる可能性を高くすることができるとともに、その合焦値を検知して、その値が閾値を越えた後に、閾値未満となるような変化を示したときには、被写体がより接近したものとしてより近くに合焦範囲を有する第１の撮影部に撮影を行わせることのできる構成を実現することができる。
【００２３】
また、第２の撮影部は、第１の撮影部よりもより遠方に合焦範囲を有し、第２の撮影部によって撮影された画像における虹彩径と所定の閾値との関係を判定する虹彩径判定部を備え、撮影制御部は、第２の撮影部によって撮影を開始し、虹彩径判定部によって、第２の撮影部によって撮影された画像における虹彩径が所定の閾値を越えるような変化を示したと判定されたときに、第２の撮影部による撮影から第１の撮影部による撮影に切り替える構成であってもよい。
【００２４】
このような構成によれば、さらに、より遠くに合焦範囲を有する第２の撮影部から撮影を開始することで被写体をより迅速に撮影することができる可能性を高くすることができるとともに、その画像から虹彩径を検知して、その値が閾値を越えるような変化を示したときには、被写体がより接近したものとしてより近くに合焦範囲を有する第１の撮影部に撮影を行わせることのできる構成を実現することができる。
【００２５】
また、被写体の少なくとも眼を照射する照射部を備えた構成であってもよい。
【００２６】
このような構成によれば、さらに、被写体の眼のコントラストのよい画像を撮影することの可能な構成を実現できる。
【００２７】
また、被写体の少なくとも眼に光線を照射する照射部と、撮影制御部の撮影制御に同期して、照射部の照射する光量を制御する光量制御部とを備えた構成であってもよい。
【００２８】
このような構成によれば、さらに、交互に撮影を行うとともに、そのときに、撮影を行っている撮影部の違いによって、照射部の光量を最適に制御することのできる構成を実現できる。
【００２９】
さらに、光量制御部は、第１の撮影部および第２の撮影部のうち、より近接する範囲を合焦範囲とする撮影部が撮影を行っているときに、照射部の照射する光量を弱めるような制御を行う構成であってもよい。
【００３０】
このような構成によれば、さらに、より近接する範囲を合焦範囲とする撮影部が撮影を行うときに、光量を弱くするので、低消費電力化を図ることのできる構成を実現できる。
【００３１】
また、被写体が所定の距離に近接したか否かを検知する距離検知部を備え、第１の撮影部および第２の撮影部の少なくとも一方の撮影部は、距離検知部が、被写体が所定の距離に近接したことを検知したときに、撮影を開始する構成であってもよい。このような構成によれば、さらに、距離検知部が被写体が所定の距離に近接したことを検知した後に撮影が開始されるので、低消費電力化を図ることができる構成を実現できる。
【００３２】
次に、本発明の認証装置は、本発明の眼画像撮影装置と、眼画像撮影装置の出力部から出力された画像を用いて所定の認証処理を行う認証処理部を備えたことを特徴としている。
【００３３】
このような構成により、互いに合焦範囲の異なる、第１の撮影部と第２の撮影部とが互いに略同一の方向を撮影するように配置されているので、被写体の鮮鋭な画像が撮影される合焦範囲が広がることにより、最適な距離に被写体を位置させることが容易で、誘導のために複雑な構成を用いる必要のない認証装置を提供することができる。
【００３４】
また、認証処理部は、眼画像撮影装置の出力部から出力された画像から、所定の認証情報を作成する認証情報作成部と、あらかじめ登録された登録認証情報と認証情報作成部で作成された認証情報とを比較照合する照合部と、照合部での比較照合の結果、登録認証情報と認証情報作成部で作成された認証情報とが一致すると判定された場合に、被写体があらかじめ登録された者であると認証する認証部とを有する構成であってもよい。
【００３５】
このような構成によれば、さらに、画像から作成した認証情報を用いて認証を行うので、画像を直接比較する構成と比較して、少ない情報で正確な認証を行うことの可能な構成を実現できる。
【００３６】
さらに、認証情報作成部は、被写体の少なくとも眼を含む画像から、所定の方法で眼の虹彩部分の画像の認証情報を作成し、登録認証情報は、あらかじめ登録された者の眼の虹彩部分の画像から所定の方法で作成された情報である構成であってもよい。
【００３７】
このような構成によれば、さらに、眼の虹彩の部分の画像を用いて認証情報を作成して、その認証情報を用いて認証処理を行うので、高精度な認証の可能な構成を実現することができる。
【発明の効果】
【００３８】
以上述べたように、本発明によれば、最適な距離に被写体を位置させることが容易で、誘導のために複雑な構成を用いる必要のない眼画像撮影装置および認証装置を提供することができる。
【発明を実施するための最良の形態】
【００３９】
以下、本発明の実施の形態について図面を用いて詳細に説明する。
【００４０】
（第１の実施の形態）
まず、本発明の第１の実施の形態における認証装置１について説明する。図１は、本発明の第１の実施の形態における認証装置１の機能について説明するための図である。図１においては、説明を簡単にするために、認証装置１の主要な構成要素について示している。
【００４１】
本発明の第１の実施の形態における認証装置１は、被写体４０の眼画像を撮影部によって撮影する眼画像撮影装置であるとともに、その眼画像を用いて虹彩認証処理を行うことにより、本人認証を行うことのできる虹彩認証装置である。
【００４２】
本発明の第１の実施の形態における認証装置１は、それぞれが被写体４０の反射像を透過する光学系と光像を電気信号として出力する撮像部とを有する、第１の撮影部３および第２の撮影部４の二つの撮影部を備えている。また、第２の撮影部４の光学系の光軸方向は、被写体４０の眼８０の方向（図１におけるＺ軸方向）を向くように配置されており、第１の撮影部３の光学系の光軸方向は、第２の撮影部４の光軸方向と平行な方向（Ｚ軸方向）になるように設けられている。さらに、鏡部４１は、第１の撮影部３の光軸方向に対して４５°の角度をなして配置され、図１における下方向から上方向に向かう方向（図１におけるＹ軸方向）の光線を第１の撮影部３の光学系に向けて（−Ｚ軸方向に）反射するように設けられている。また、ハーフミラーである撮影方向変換部４２が、鏡部４１と平行、かつ第２の撮影部４の撮影光軸方向に対して４５°の入射角となるように設けられている。このような構成により、被写体４０からの反射光は、撮影方向変換部４２によって、約半分の光線が撮影方向変換部４２を透過して第２の撮影部４に撮影され、残りの半分の光線は撮影方向変換部４２において反射されて、さらには、鏡部４１において全反射されて、第１の撮影部３に撮影される。すなわち、本発明の第１の実施の形態における認証装置１では、第１の撮影部３の撮影方向と、第２の撮影部４の撮影方向とは、図１に示したように略一致する。なお、本発明の第１の実施の形態における撮影方向変換部４２としては、後述する近赤外領域の光線について、半透過特性を有するハーフミラーを用いることができる。鏡部４１としては、後述する近赤外領域の光線について、全反射する鏡を用いることができる。
【００４３】
本発明の第１の実施の形態における認証装置１の第１の撮影部３は、図１に示した合焦範囲Ａにおいて焦点が合った画像を得ることのできる単焦点の光学系を備えており、第２の撮影部４は、図１における合焦範囲Ｂにおいて焦点が合った画像を得ることのできる単焦点の光学系を備えている。なお、実用的には、第１の撮影部３の有する光学系および第２の撮影部４の有する光学系としては、それぞれ、略等しい倍率の画像を得ることのできる光学系を用いれば、後述する画像処理を行う際に、リサイズ等の前処理が不要であるので望ましい。
【００４４】
図１に示したように、本発明の第１の実施の形態における認証装置１によれば、領域Ａを合焦範囲とする第１の撮影部３および領域Ｂを合焦範囲とする第２の撮影部４をそれぞれ略同軸上を撮影するような構成としたことによって、領域Ｃに示した広い領域において、被写体４０の眼８０の画像を撮影することが可能となる。よって、被写体４０に対して、距離方向（Ｚ軸方向）に特段複雑な誘導を行うことなく、被写体４０に対して、水平方向（Ｘ軸方向）および垂直方向（Ｙ軸方向）について、鏡部を有する誘導部５１に自らの眼８０を映させるという比較的簡易な方法で誘導を行うことにより、被写体の眼画像を撮影することが可能である。
【００４５】
次に、本発明の第１の実施の形態における認証装置１の構成について、さらに詳細に説明する。図２は、本発明の第１の実施の形態における認証装置１の構成を示すブロック図である。
【００４６】
図２に示したように、本発明の第１の実施の形態における認証装置１は、被写体４０に対して、その眼８０を水平方向および垂直方向に、第１の撮影部３および第２の撮影部４の光軸上に配置させるための誘導部５１、誘導部５１によって誘導された被写体４０の眼８０を撮影するための前述した鏡部４１、撮影方向変換部４２、第１の撮影部３および第２の撮影部４、第１の撮影部３および第２の撮影部４から出力された画像を切り替えてキャプチャ処理部１４に出力する切替部４８、切替部４８から出力された画像のうち、認証処理に用いることのできる画像を選択して認証処理部１７に送る処理（以下、この処理をキャプチャ処理と記す）を行うキャプチャ処理部１４、キャプチャ処理部１４でキャプチャ処理された画像を用いて虹彩認証処理を行う認証処理部１７、認証処理部１７で認証処理された結果、被写体４０があらかじめ登録された者であるか否かの出力を行う出力部２３、被写体４０を照射する第１の光源部２７および第２の光源部２８、第１の光源部２７および第２の光源部２８を点滅駆動する光源駆動部１３、被写体４０までの距離を測定する測距センサ部２、ならびに、測距センサ部２に接続され、キャプチャ処理部１４、認証処理部１７、切替部４８および光源駆動部１３それぞれを制御する制御部５０を備えている。
【００４７】
本発明の第１の実施の形態における認証装置１のキャプチャ処理部１４および認証処理部１７は、制御部５０からの指示により、それぞれの処理を繰り返して行うことが可能である。
【００４８】
キャプチャ処理部１４は、第１の撮影部３または第２の撮影部４から出力された画像のうち、切替部４８によって選択された画像からその画質を判定する画質判定部１５、および、画質判定部１５で画質がよいと判定された画像の中に眼８０があるか否かを検出する眼検出部１６を有している。
【００４９】
画質判定部１５としては、例えば、画像の中から所定の高周波成分を積算して、その高周波成分の量が所定の閾値よりも大きければ、その画像の焦点が合っていると判定する合焦値判定部を用いることができる。他にも、画質判定部１５としては、画像の平均輝度を測定して画像が明るすぎたり暗すぎたりしないか等の評価を行う輝度評価部等、各種の画質評価を行う処理ブロックを用いることが可能である。さらに、これらの処理ブロックを組み合わせて用いることも可能である。
【００５０】
また、眼検出部１６の機能を実現する方法としては、例えば、画像中に、瞳孔や黒目の部分と推定される丸い領域（例えば、丸くて周辺と比較して輝度の低下した領域）が存在するか否かを、画質判定部１５から出力された画像と所定の大きさの黒い（輝度の低い）画像とのパターンマッチング処理を行う方法や、瞳孔候補の中心座標を中心として、所定の半径を持つ円の円周上の輝度の積算値を求め、その積算値の半径に対する変化量が所定の閾値以内の場合に、その瞳孔候補が瞳孔であると判定する方法を用いることができる。なお、詳細な説明は省略するが、画質判定部１５および眼検出部１６それぞれの処理は、ソフトウェアおよびハードウェアのいずれによっても実現することが可能であり、ハードウェア化することにより、約３３ｍｓの周期でキャプチャ処理を行うことが可能となる。
【００５１】
認証処理部１７は、キャプチャ処理部１４において、画質判定部１５で画質がよいと判定され、かつ、眼検出部１６で画像の中に瞳孔や黒目の部分が存在すると判定された画像について認証処理を行う。本発明の第１の実施の形態における認証装置１の認証処理部１７は、キャプチャ処理部１４から出力された画像から虹彩の部分を切り出す虹彩検出部１８、虹彩検出部１８で切り出された虹彩の部分の画像から、所定の方法で認証処理に用いるべき認証情報を作成する認証情報作成部１９、あらかじめ登録された者の登録認証情報を記憶する記憶部２１、記憶部２１に記憶された登録認証情報と認証情報作成部１９によって作成された認証情報とを比較照合する照合部２０、および、照合部２０での照合結果にもとづいて、被写体４０があらかじめ登録された者であるとして認証できるか否かを判定する認証結果判定部２２を有する。なお、詳細な説明は省略するが、虹彩検出部１８、認証情報作成部１９、照合部２０および認証結果判定部２２それぞれの処理は、ソフトウェアおよびハードウェアのいずれによっても実現することが可能であり、ハードウェア化することにより、約２００ｍｓの周期で認証処理を行うことが可能となる。
【００５２】
ここで、虹彩検出部１８における画像から虹彩を検出する方法、認証情報作成部１９において虹彩部分の画像から認証情報を作成する方法、照合部２０における比較照合の方法、および、認証結果判定部２２における認証結果の判定方法については、例えば前述の特許文献１に開示された方法を用いることができる。なお、本発明の認証装置は、認証処理部１７における認証処理の方法を上述の方法に限定されるものではない。例えば、認証処理部１７において、認証情報を作成せずに、キャプチャ処理部１４から送られた画像と記憶部２１にあらかじめ記憶された画像とを直接比較して照合を行う方法を用いることも可能である。しかしながら、処理の迅速性や信頼性等に鑑みると、実用的には前述の特許文献１に記載された方法を用いることが望ましい。
【００５３】
また、本発明の実施の形態における認証装置１の出力部２３としては、例えば、液晶ディスプレイ装置等の公知の表示手段や、音声にて認証結果を被写体４０に報知することのできる手段や、さらに、外部に接続されたサーバ装置等に対して信号を送信することのできる手段等、各種の公知の出力手段を用いることが可能である。
【００５４】
また、測距センサ部２としては、赤外線を用いて物体までの距離を測定することのできるセンサを用いることができる。本発明の実施の形態においては、２０ｃｍから１００ｃｍまでの距離の測定が可能なセンサを用い、被写体４０が所定の距離（例えば、８０ｃｍ）以内に近づいた場合に、その旨を示す信号を制御部５０に送るものとする。本発明の実施の形態における測距センサ部２は、その発する赤外線の光軸が、第１の撮影部３および第２の撮影部４の撮影光軸の方向と略同じ方向を向くように配置されている。
【００５５】
また、第１の撮影部３および第２の撮影部４としては、被写体４０の眼８０の虹彩部分をコントラストよく撮影するために、それぞれ望遠レンズを搭載し、第１の光源部２７または第２の光源部２８によって被写体４０の眼８０に照射された近赤外光（波長約７００〜１０００ｎｍ程度の光線のことをいう）を撮影可能な白黒カメラを用いることができる。本発明の第１の実施の形態においては、水平画角６．８°、最大口径比１１．０の固定焦点の望遠レンズ系を搭載し、解像度がＶＧＡのＣＣＤを搭載した白黒カメラを二台用いた。
【００５６】
本発明の第１の実施の形態における第１の撮影部３および第２の撮影部４は、そのレンズ面から被写体４０の眼８０までの望ましい撮像距離Ｄが３５０ｍｍ±３０ｍｍであり、そのときの撮影範囲は、水平４１．６ｍｍ×垂直３１．２ｍｍである。本発明の第１の実施の形態における認証装置１においては、第１の撮影部３および第２の撮影部４の望ましい撮像距離Ｄが等しいが、実際には図１に示したように、第１の撮影部３の合焦範囲Ａと第２の撮影部４の合焦範囲Ｂとを異ならせることが可能である。これは、例えば、第１の撮影部３については、そのレンズ面から鏡部４１までの距離（本実施の形態においては２０ｍｍ）と鏡部４１から撮影方向変換部４２を通って筐体までの距離（本実施の形態では５０ｍｍ）とを差し引いた距離（本実施の形態においては２８０ｍｍ±３０ｍｍ）が合焦範囲Ａとなるからである。また、第２の撮影部４については、そのレンズ面から撮影方向変換部４２を通って筐体までの距離（本実施の形態においては２０ｍｍ）を差し引いた距離（本実施の形態においては３３０ｍｍ±３０ｍｍ）が合焦範囲Ｂとなる。
【００５７】
よって、本発明の第１の実施の形態における認証装置１においては、同じ仕様の撮影部を二つ用いることで、より広い範囲Ｃ（本実施の形態においては、２５０ｍｍから３６０ｍｍまで）で焦点の合った画像を撮影することが可能となる。
【００５８】
また、本発明の第１の実施の形態における認証装置１は、虹彩認証装置であり、被写体４０の眼８０の虹彩の模様を鮮明に撮影する必要がある。そこで、本発明の第１の実施の形態における認証装置１の第１の光源部２７および第２の光源部２８としては、被写体４０の眼８０付近を照射するように配置された、近赤外光を照射する光源を用いた。
【００５９】
これらの光源部は、制御部５０から制御された光源駆動部１３によって、第１の撮影部３が撮影を行っているときには、第１の光源部２７が点灯し、第２の撮影部４が撮影を行っているときには、第２の光源部２８が点灯するように駆動される。また、合焦範囲がより近接する第１の撮影部３によって撮影が行われているときに点灯する第１の光源部２７から発生される光量が、第２の光源部２８が発生する光量よりも小さくなるように調整されている。このような構成とすることにより、本発明の第１の実施の形態における認証装置１によれば、より近い範囲に合焦する第１の撮影部３が撮影を行っているときには少ない光量で撮影を行い、より遠い範囲に合焦する第２の撮影部４が撮影を行っているときには、より多くの光量で撮影を行い、撮影される画像の明るさを比較的均一にすることができる。よって、後述する画像処理を行う際に、コントラスト調整等の前処理を省くことができるとともに、常に第２の光源部２８によって被写体４０を照射する構成と比較して、低消費電力化を図ることができる。なお、第１の光源部２７および第２の光源部２８の光量の調整は、例えば、光源駆動部１３から第１の光源部２７または第２の光源部２８に印加される電圧の調整や電圧を印加するときのパルス幅の調整等によって行うことが可能である。
【００６０】
本発明の第１の実施の形態における認証装置１の誘導部５１の構成について説明する。図３は、本発明の第１の実施の形態における認証装置１の誘導部５１の構成について説明するための図である。
【００６１】
図３（ａ）に示したように、本発明の第１の実施の形態における認証装置１は、誘導部５１として、いわゆる可視光を反射して、赤外光を透過するコールドミラーを用いることが可能である。誘導部５１として、コールドミラーを用いることにより、図３（ｂ）に示したように、被写体４０は、自らの眼８０が誘導部５１上に映るような位置に移動することにより、自らの眼８０を水平方向および垂直方向に最適な位置に移動させることができる。このとき、自らの眼８０の黒目の部分が映るような位置に、円形状のマーク部５２を付しておくことにより、さらに、水平方向（Ｘ軸方向）および垂直方向（Ｙ軸方向）に、より正確な位置あわせが可能となる。なお、マーク部５２を設けるか否かは任意である。
【００６２】
なお、本発明の第１の実施の形態における認証装置１の誘導部５１を用いた場合においては、被写体４０と認証装置１との間の距離（Ｚ方向）を最適な位置に誘導することは難しいが、本発明の第１の実施の形態における認証装置１によれば、第１の撮影部３と第２の撮影部４とを有することにより、より広い合焦範囲を実現することができるので、距離方向の誘導を行う必要性を著しく低くすることが可能となる。
【００６３】
ここで、本発明の第１の実施の形態における認証装置１の動作について詳細に説明する。図４は、本発明の第１の実施の形態における認証装置１の動作ステップを示すフローチャートである。
【００６４】
まず、本発明の第１の実施の形態の認証装置１においては、制御部５０が、測距センサ部２を起動させ、測距センサ部２は、被写体４０が所定の距離範囲内に入ったか否かの検知を開始する（Ｓ１）。
【００６５】
測距センサ部２は、被写体４０が所定の距離範囲内に入るまで、検知を続行し（Ｓ２）、被写体４０が所定の距離範囲内に入った場合には、その旨を制御部５０に通知し、制御部５０は、切替部４８に命じて、より遠くに合焦範囲を有する第２の撮影部４に撮影を開始させる（Ｓ３）。ここで、第２の撮影部４に撮影を開始させる理由は、一般的に、被写体４０は、遠くから近くに移動してくることが多いので、より遠くに合焦範囲を有する第２の撮影部４から撮影を行ったほうが、第１の撮影部３から撮影を行う場合と比較して、被写体４０の画像がキャプチャされる可能性が高いからである。なお、このとき、制御部５０は、光源駆動部１３に指示して、第２の光源部２８を点灯させる。
【００６６】
第２の撮影部４で撮影された画像は、切替部４８を通じてキャプチャ処理部１４に送られて、前述のキャプチャ処理がなされる（Ｓ４）。
【００６７】
キャプチャ処理部１４において、画質がよく、かつ、眼８０が映っていると判定された画像が得られた（キャプチャされた）場合には、ステップＳ９に進み、キャプチャされなかった場合には、制御部５０は、第２の光源部２８を消灯させた後に、切替部４８に命じて、第２の撮影部４からの出力を停止させて第１の撮影部３からの出力を開始させるとともに、第１の光源部２７を点灯させる（Ｓ６）。
【００６８】
第１の撮影部３で撮影された画像は、切替部４８を通じてキャプチャ処理部１４に送られて、前述のキャプチャ処理がなされる（Ｓ７）。
【００６９】
キャプチャ処理部１４において、画質がよく、かつ、眼８０が映っていると判定された画像が得られた（キャプチャされた）場合には、ステップＳ９に進み、キャプチャされなかった場合には、制御部５０は、切替部４８に命じて、第１の撮影部３からの出力を終了させ、第１の光源部２７を消灯した後に、ステップＳ３に戻って、第２の撮影部４からの出力を開始する（Ｓ８）。
【００７０】
図４のステップＳ８においてキャプチャされた画像は、認証処理部１７に送られて、前述の認証処理が行われる（Ｓ９）。
【００７１】
その結果、被写体４０があらかじめ登録された者であると認証された場合には、ステップＳ１１に進んで、その結果を出力部２３から出力して処理を終了し（Ｓ１１）、一方、被写体４０があらかじめ登録された者ではないとして、認証できない場合には、その旨を出力部２３から出力して処理を終了するか、または、ステップＳ３に戻って、再度眼画像の撮影を行う（Ｓ１０）。
【００７２】
このように、本発明の第１の実施の形態における認証装置１によれば、被写体４０の眼画像を撮影することができるとともに、その眼画像を用いて虹彩認証方法を用いた本人認証を行うことができる。
【００７３】
以上述べたように、本発明の第１の実施の形態における認証装置１によれば、互いに合焦範囲の異なる第１の撮影部３および第２の撮影部４を、撮影光軸が略一致するように配置して被写体４０の眼８０の撮影を行うので、合焦範囲を広く取ることができ、被写体４０に対して複雑な距離方向の誘導を行うことなく、自然に眼画像の撮影が可能な構成を実現することができる。
【００７４】
（第２の実施の形態）
次に、本発明の第２の実施の形態における認証装置１０１の構成について説明する。図５は、本発明の第２の実施の形態における認証装置１０１の構成を示すブロック図である。
【００７５】
図５に示したように、本発明の第２の実施の形態における認証装置１０１の構成が本発明の第１の実施の形態における認証装置１の構成と異なるところは、キャプチャ処理部１４の画質判定部１５の出力である合焦値を所定の閾値と比較してその結果を判定する合焦値判定部４４を備えたところである。合焦値判定部４４も制御部５０によって制御されているものとする。他の構成要素については、本発明の第１の実施の形態における認証装置１の構成と同様であるので、同様の構成要素については同じ符号を付して、詳細な説明は省略する。
【００７６】
本発明の第２の実施の形態においては、画質判定部１５の画質判定方法として、前述の方法のうち、画像の中から所定の高周波成分を積算して、その高周波成分の量が所定の閾値よりも大きければ、その画像の焦点が合っていると判定する方法を用いるものとする。そして、画質判定部１５から合焦値判定部４４に対しては、画像の中から所定の高周波成分を積算した合焦度を示す値（合焦値）が画像毎に出力され、合焦値判定部４４においては、その合焦値を用いて後述のような判定処理を行う。
【００７７】
ここで、本発明の第２の実施の形態における認証装置１０１の動作について説明する。図６は、本発明の第２の実施の形態における認証装置１０１の動作について説明するためのフローチャートである。
【００７８】
まず、本発明の第２の実施の形態の認証装置１０１においては、制御部５０が、測距センサ部２を起動させ、測距センサ部２は、被写体４０が所定の距離範囲内に入ったか否かの検知を開始する（Ｓ２１）。
【００７９】
測距センサ部２は、被写体４０が所定の距離範囲内に入るまで、検知を続行し（Ｓ２２）、被写体４０が所定の距離範囲内に入った場合には、その旨を制御部５０に通知し、制御部５０は、切替部４８に命じて、より遠くに合焦範囲を有する第２の撮影部４に撮影を開始させる（Ｓ２３）。ここで、第２の撮影部４に撮影を開始させる理由は、一般的に、被写体４０は、遠くから近くに移動してくることが多いので、より遠くに合焦範囲を有する第２の撮影部４から撮影を行ったほうが、第１の撮影部３から撮影を行う場合と比較して、被写体４０の画像がキャプチャされる可能性が高いからである。なお、このとき、制御部５０は、光源駆動部１３に指示して、第２の光源部２８を点灯させる。
【００８０】
第２の撮影部４で撮影された画像は、切替部４８を通じてキャプチャ処理部１４に送られて、前述のキャプチャ処理がなされる（Ｓ２４）。
【００８１】
キャプチャ処理部１４において、画質がよく、かつ、眼８０が映っていると判定された画像が得られた（キャプチャされた）場合には、ステップＳ３１に進み、キャプチャされなかった場合には、制御部５０は、合焦値判定部４４に画質判定部１５で算出された合焦値を読み出させ、以下のような判定を行わせる（Ｓ２６）。
【００８２】
ここで、本発明の第２の実施の形態における認証装置１０１の合焦値判定部４４の処理について説明する。図７は、本発明の第２の実施の形態における認証装置１０１の合焦値判定部４４の処理について説明するための図である。図７には、横軸に認証装置１０１から被写体４０までの距離をとり、縦軸にそのときの画質判定部１５で算出される合焦値をとったときの、第２の撮影部４によって撮影された画像から算出された合焦値の変化８１と第１の撮影部３によって撮影された画像から算出された合焦値の変化８２を概念的に示している。このような関係がある場合において、被写体が、認証装置１０１に対して、遠くから近くに移動してくるもの、すなわち、図７における矢印Ｄ１の方向に移動してくるものとする。このとき、第２の撮影部４によって撮影された画像に対するキャプチャ処理が行われており、第２の撮影部４によって撮影された画像の合焦値は図７における右側から左側に向けて変化する。すなわち、合焦値は、一端増加した後に、減少することとなる。
【００８３】
本発明の第２の実施の形態における認証装置１０１における合焦値判定部４４は、この変化を判定する。すなわち、画質判定部１５で算出された合焦値が、増加して、所定の閾値Ｆｔｈを越えた後に、再度所定の閾値Ｆｔｈ未満となった場合に、被写体４０が第２の撮影部４の合焦範囲Ｂよりも接近したものとして、制御部５０は、撮影部を第２の撮影部４からより合焦範囲Ａの接近した第１の撮影部３に切り替えさせるような指示を切替部４８に対して行う。なお、所定の閾値Ｆｔｈは、通常、画質判定部１５において画質の良否判定に用いられる閾値を用いることが可能である。このような処理を行うことにより、被写体４０が接近している場合に、第２の撮影部４の合焦範囲Ｂに存在している間には、眼が閉じられていたり、充分に見開かれていなかったりといった要因によって良好な眼画像がキャプチャされないような場合にも、より合焦範囲Ａの近接した第１の撮影部３に撮影を切り替えてキャプチャ処理を行うことにより、第１の撮影部３の合焦範囲Ａに存在している間に良好な眼画像を撮影することのできる可能性を高くすることができる。
【００８４】
図６に戻って、画質判定部１５で算出された合焦値が、増加して、所定の閾値Ｆｔｈを越えた後に、再度所定の閾値Ｆｔｈ未満となったと合焦値判定部４４によって判定された場合（Ｓ２７）には、制御部５０は切替部４８に対して、第２の撮影部４で撮影された画像から第１の撮影部３で撮影された画像に出力を切り替えさせる（Ｓ２８）。
【００８５】
一方、ステップＳ２７において、それ以外の場合、すなわち、画質判定部１５で算出された合焦値が、増加して、所定の閾値Ｆｔｈを越えた後に、再度所定の閾値Ｆｔｈ未満となったものではないと合焦値判定部４４によって判定された場合（Ｓ２７）には、被写体４０が第２の撮影部４の合焦範囲Ｂに位置するものとして、ステップＳ２３に戻り、制御部５０は、再度、キャプチャ処理部１４にキャプチャ処理を続行させる（Ｓ２７）。
【００８６】
ステップＳ２８においては、制御部５０が、光源駆動部１３に命じて、第２の光源部２８を消灯させた後に、切替部４８に命じて、第２の撮影部４からの出力を停止させて第１の撮影部３からの出力を開始させるとともに、第１の光源部２７を点灯させる（Ｓ２８）。
【００８７】
第１の撮影部３で撮影された画像は、切替部４８を通じてキャプチャ処理部１４に送られて、前述のキャプチャ処理がなされる（Ｓ２９）。
【００８８】
キャプチャ処理部１４において、画質がよく、かつ、眼８０が映っていると判定された画像が得られた（キャプチャされた）場合には、ステップＳ３１に進み、キャプチャされなかった場合には、ステップＳ２８に戻って第１の撮影部３によって撮影された画像のキャプチャ処理が行われる（Ｓ３０）。
【００８９】
図６のステップＳ３０においてキャプチャされた画像は、認証処理部１７に送られて、前述の認証処理が行われる（Ｓ３１）。
【００９０】
その結果、被写体４０があらかじめ登録された者であると認証された場合には、ステップＳ３３に進んで、その結果を出力部２３から出力して処理を終了し（Ｓ３３）、一方、被写体４０があらかじめ登録された者ではないとして、認証できない場合には、その旨を出力部２３から出力して処理を終了するか、または、ステップＳ２３に戻って、再度眼画像の撮影を行う（Ｓ３２）。
【００９１】
このように、本発明の第２の実施の形態における認証装置１によれば、遠くから近づいてくる被写体４０に対して、その眼画像を確実に撮影することができるとともに、その眼画像を用いて虹彩認証方法を用いた本人認証を行うことができる。
【００９２】
以上述べたように、本発明の第２の実施の形態における認証装置１０１によっても、互いに合焦範囲の異なる第１の撮影部３および第２の撮影部４を、撮影光軸が略一致するように配置して被写体４０の眼８０の撮影を行うので、合焦範囲を広く取ることができ、被写体４０に対して複雑な距離方向の誘導を行うことなく、自然に眼画像の撮影が可能な構成を実現することができる。
【００９３】
（第３の実施の形態）
次に、本発明の第３の実施の形態における認証装置２０１の構成について説明する。図８は、本発明の第３の実施の形態における認証装置２０１の構成を示すブロック図である。
【００９４】
図８に示したように、本発明の第３の実施の形態における認証装置２０１の構成が本発明の第１の実施の形態における認証装置１の構成と異なるところは、キャプチャ処理部１４の眼検出部１６の出力である虹彩径の値を所定の閾値と比較してその結果を判定する虹彩径判定部４５を備えるところである。虹彩径判定部４５も制御部５０によって制御されているものとする。他の構成要素については、本発明の第１の実施の形態における認証装置１の構成と同様であるので、同様の構成要素については同じ符号を付して、詳細な説明は省略する。
【００９５】
本発明の第３の実施の形態においては、眼検出部１６において、画像中から眼の虹彩に相当する部分画像が検出され、出力されるものとし、虹彩径判定部４５は、その虹彩に相当する部分から虹彩径を算出して、後述のように閾値とを比較してその結果を制御部５０に出力する。
【００９６】
ここで、本発明の第３の実施の形態における認証装置２０１の動作について説明する。図９は、本発明の第３の実施の形態における認証装置２０１の動作について説明するためのフローチャートである。
【００９７】
なお、図９に示したフローチャートにおいて、図６に示した本発明の第２の実施の形態における認証装置１０１の動作を示すフローチャートと、同様の処理ステップの部分には同一の符号を付し、説明を省略する。
【００９８】
図９に示した本発明の第３の実施の形態における認証装置２０１の動作ステップと、図６に示した本発明の第２の実施の形態における認証装置１０１の動作ステップと異なるところは、ステップＳ２６およびステップＳ２７が、それぞれ、ステップＳ３６の虹彩径算出ステップとステップＳ３７の閾値判定ステップとに置換されているところである。
【００９９】
図９のステップＳ２４、Ｓ２５において、キャプチャ処理部１４で、画質がよく、かつ、眼８０が映っていると判定された画像が得られた（キャプチャされた）場合には、ステップＳ３１に進み、キャプチャされなかった場合には、制御部５０は、虹彩径判定部４５に眼検出部１６で検出された虹彩径を算出させ、以下のような判定を行わせる（Ｓ３６）。
【０１００】
ここで、本発明の第３の実施の形態における認証装置２０１の虹彩径判定部４５の処理について説明する。図１０は、本発明の第３の実施の形態における認証装置２０１の虹彩径判定部４５の処理について説明するための図である。図１０には、横軸に認証装置２０１から被写体４０までの距離をとり、縦軸にそのときの眼検出部１６で検出される虹彩径の値をとったときの、第２の撮影部４によって撮影された画像から算出された虹彩径の変化９１と第１の撮影部３によって撮影された画像から算出された虹彩径の変化９２を概念的に示している。このような関係がある場合において、被写体４０が、認証装置２０１に対して、遠くから近くに移動してくるもの、すなわち、図１０における矢印Ｄ２の方向に移動してくるものとする。このとき、第２の撮影部４によって撮影された画像に対するキャプチャ処理が行われており、第２の撮影部４によって撮影された画像から算出された虹彩径は図１０における右側から左側に向けて変化する。すなわち、虹彩径は、被写体４０が接近するにしたがって増加することとなる。
【０１０１】
本発明の第３の実施の形態における認証装置２０１の虹彩径判定部４５は、この変化を判定する。すなわち、眼検出部１６で算出された虹彩径の値が、増加して、所定の閾値Ｒｔｈ以上となった場合に、被写体４０が第２の撮影部４の合焦範囲Ｂよりも接近したものとして、制御部５０は、撮影部を第２の撮影部４からより合焦範囲Ａの接近した第１の撮影部３に切り替えさせるような指示を切替部４８に対して行う。なお、所定の閾値Ｒｔｈは、第２の撮影部４の合焦範囲Ｂであってもっとも近い位置（本発明の実施の形態においては、３００ｍｍ）における虹彩径の値を用いることができる。このような処理を行うことにより、被写体４０が接近している場合に、第２の撮影部４の合焦範囲Ｂに存在している間には、被写体４０が眼鏡を着用していることにより光源部の反射光が虹彩上に映り込んでしまう等の悪影響によって、良好な眼画像がキャプチャされないような場合にも、より合焦範囲Ａの近接した第１の撮影部３に撮影を切り替えてキャプチャ処理を行うことにより、第１の撮影部３の合焦範囲Ａに存在している間に良好な眼画像を撮影することのできる可能性を高くすることができる。なお、被写体４０が認証装置２０１に接近した場合には、光源部と被写体４０がなす角度が大きくなるので、眼鏡における反射光の位置が外側に移動し、反射光が虹彩上に撮影される可能性を低減させることができる。
【０１０２】
図９に戻って、眼検出部１６で検出された虹彩径の値が、増加して所定の閾値Ｒｔｈを越えたと虹彩径判定部４５によって判定された場合（Ｓ３７）には、制御部５０は切替部４８に対して、第２の撮影部４からの画像から第１の撮影部３からの画像に出力を切り替えさせる（Ｓ２８）。
【０１０３】
一方、ステップＳ３７において、それ以外の場合、すなわち、眼検出部１６で検出された虹彩径の値が増加して、所定の閾値Ｒｔｈを越えたものではないと虹彩径判定部４５によって判定された場合には、被写体４０が第２の撮影部４の合焦範囲Ｂに位置するものとして、ステップＳ２３に戻り、制御部５０は、再度、キャプチャ処理部１４にキャプチャ処理を続行させることは、本発明の第２の実施の形態における認証装置１と同様である。
【０１０４】
このように、本発明の第３の実施の形態における認証装置２０１によっても、遠くから近づいてくる被写体４０に対して、その眼画像を確実に撮影することができるとともに、その眼画像を用いて虹彩認証方法を用いた本人認証を行うことができる。
【０１０５】
以上述べたように、本発明の第３の実施の形態における認証装置２０１によっても、互いに合焦範囲の異なる第１の撮影部３および第２の撮影部４を、撮影光軸が略一致するように配置して被写体４０の眼８０の撮影を行うので、合焦範囲を広く取ることができ、被写体４０に対して複雑な距離方向の誘導を行うことなく、自然に眼画像の撮影が可能な構成を実現することができる。
【０１０６】
なお、本発明の第３の実施の形態においては、虹彩径判定部４５が眼検出部１６で検出された虹彩径（直径または半径）を所定の閾値Ｒｔｈと比較する構成を用いて説明を行ったが、本発明はこの構成に限定されない。例えば、眼検出部１６が瞳孔を検出する場合には、虹彩径判定部４５は、眼検出部１６で検出された瞳孔の直径または半径を算出して、所定の閾値と比較する構成であってもよい。
【０１０７】
なお、本発明の実施の形態においては、認証装置１，１０１，２０１が認証処理部１７の処理方法として、虹彩認証方法を用いて本人認証を行う例を挙げて説明を行ったが、本発明の認証装置は、虹彩認証装置に限定されるものではない。例えば、被認証者が自らの顔を用いて認証を行うような認証装置、例えば、顔認証や網膜認証等にも適用可能であることはいうまでもない。
【産業上の利用可能性】
【０１０８】
以上述べたように、本発明によれば、最適な距離に被写体を位置させることが容易で、誘導のために複雑な構成を用いる必要のない眼画像撮影装置および認証装置を提供することができるという優れた効果を有するので、被認証者の少なくとも眼を含む画像を撮影する眼画像撮影装置およびそれを用いた認証装置等として有用である。
【図面の簡単な説明】
【０１０９】
【図１】本発明の第１の実施の形態における認証装置の機能について説明するための図
【図２】本発明の第１の実施の形態における認証装置の構成を示すブロック図
【図３】本発明の第１の実施の形態における認証装置の誘導部の構成について説明するための図
【図４】本発明の第１の実施の形態における認証装置の動作ステップを示すフローチャート
【図５】本発明の第２の実施の形態における認証装置の構成を示すブロック図
【図６】本発明の第２の実施の形態における認証装置の動作について説明するためのフローチャート
【図７】本発明の第２の実施の形態における認証装置の合焦値判定部の処理について説明するための図
【図８】本発明の第３の実施の形態における認証装置の構成を示すブロック図
【図９】本発明の第３の実施の形態における認証装置の動作について説明するためのフローチャート
【図１０】本発明の第３の実施の形態における認証装置の虹彩径判定部の処理について説明するための図
【符号の説明】
【０１１０】
１，１０１，２０１    認証装置
２    測距センサ部
３    第１の撮影部
４    第２の撮影部
１３    光源駆動部
１４    キャプチャ処理部
１５    画質判定部
１６    眼検出部
１７    認証処理部
１８    虹彩検出部
１９    認証情報作成部
２０    照合部
２１    記憶部
２２    認証結果判定部
２３    出力部
２７    第１の光源部
２８    第２の光源部
４０    被写体
４１    鏡部
４２    撮影方向変換部
４４    合焦値判定部
４５    虹彩径判定部
４８    切替部
５０    制御部
５１    誘導部
５２    マーク部
８０    眼
８１，８２    合焦値の変化
９１，９２    虹彩径の変化
【図１】
2006338236.tif 000003
【図２】
2006338236.tif 000004
【図３】
2006338236.tif 000005
【図４】
2006338236.tif 000006
【図５】
2006338236.tif 000007
【図６】
2006338236.tif 000008
【図７】
2006338236.tif 000009
【図８】
2006338236.tif 000010
【図９】
2006338236.tif 000011
【図１０】
2006338236.tif 000012